(57)【要約】【課題】装着された記録媒体の記録情報により、供給電力を段階的に制御することが可能な画像形成装置を提供する。【解決手段】画像形成に用いられる読取部、出力部及び通信部と、カード検出部８０７１でメモリカードを検知するメモリカード・インタフェース８０７と、メモリカードに記録された第１の情報と予め保持された第２の情報とにより、読取部及び出力部に対する給電を許可するか否かを判断する制御ＩＣ１０とを備え、メモリカード・インタフェース８０７がメモリカードを検知したときに、ＳＷ１によって制御ＩＣ１０に給電し、制御ＩＣ１０が、読取部及び出力部、通信部に対する給電を許可すると判断したときに、ＳＷ２によって読取部及び出力部、通信部を含む全体回路２０に給電するように構成する。【選択図】        図２
2004351647.tif 000002
【特許請求の範囲】
【請求項１】
画像を形成する画像形成手段と、ネットワークに接続して通信する通信手段と、所定の記録媒体を検知する記録媒体検知手段と、前記記録媒体に記録された第１の情報と予め保持された第２の情報とにより、前記画像形成手段及び前記通信手段に対する給電を許可するか否かを判断する判断手段と、前記判断手段に対する給電を制御する第１の給電制御手段と、前記画像形成手段、前記通信手段に対する給電を制御する第２の給電制御手段と、を備え、
前記記録媒体検知手段が前記記録媒体を検知したときに、第１の給電制御手段が前記判断手段に給電するように制御し、次いで、前記判断手段が、前記画像形成手段及び前記通信手段に対する給電を許可すると判断したときに、第２の給電制御手段が、前記画像形成手段及び前記通信手段に給電するように制御することを特徴とする画像形成装置。
【請求項２】
前記第１の情報及び前記第２の情報に、前記記録媒体を識別するための記録媒体識別情報と、前記画像形成装置の種類を示す機種情報と、前記画像形成装置で使用可能なプログラムを管理するための管理情報と、が含まれるようにしたことを特徴とする請求項１に記載の画像形成装置。
【請求項３】
前記判断手段に給電するための第１のスイッチと、前記画像形成手段及び前記通信手段に給電するための第２のスイッチとを備え、
前記記録媒体検知手段が前記記録媒体を検知したとき、前記第１の制御手段が、第１のスイッチによって前記判断手段に給電し、次いで、前記判断手段が前記画像形成手段及び前記通信手段に対する給電を許可すると判断したときに、第２の制御手段が、第２のスイッチによって前記画像形成手段及び前記通信手段に給電するように制御することを特徴とする請求項１又は２に記載の画像形成装置。
【発明の詳細な説明】
【０００１】
【発明の属する技術分野】
本発明は、メモリカードなどの記録媒体を装着可能な画像形成装置に関するものである。
【０００２】
【従来の技術】
従来のＰＯＳ（Ｐｏｉｎｔ  Ｏｆ  Ｓａｌｅｓ）装置（「画像形成装置」に相当する）は、非接触型ＩＣカードを記録された個人情報を読み取り、この個人情報に応じて操作可能状態に移行するようにしている（例えば、特許文献１参照）。
【０００３】
また、ファクシミリ装置（「画像形成装置」に相当する）にＰＣカードアダプタを有するオプションボードを装着し、このオプションボードを介して通信ネットワークへ接続するとき、送受信に関するデータをＰＣカード型メモリに一旦記憶するようにしているものもある（例えば、特許文献２参照）。
【０００４】
また、異なる複数の認証方法（テンキー入力、指紋入力、ＩＣカード入力）による使用者認証を可能とし、使用者が行った認証の方法に応じて、当該プリンタ（「画像形成装置」に相当する）で指示可能な動作モードを制限しているものもある（例えば、特許文献３参照）。
【０００５】
また、プリント制限枚数、現在プリント枚数をＩＣカードごとに予め設定し、装着されたＩＣカードに記録されたプリント制限枚数、現在プリント枚数に応じてプリント可否を判断するとともに、前記プリント制限枚数、現在プリント枚数を読み取ってプリンタ側に記憶することで、ＩＣカードを取り外した後もプリント枚数を制限可能とし、レーザプリンタ（「画像形成装置」に相当する）の不正使用を防止しているものもある（例えば、特許文献４参照）。
【０００６】
【特許文献１】
特開平５‐３４２４７９号公報（第２頁右下段〜第３頁左上段、図１）
【０００７】
【特許文献２】
特開２００１‐１５６９５９号公報（第４頁右上段、図４）
【０００８】
【特許文献３】
特開２００２‐１８３０９３号公報（第７頁右上段〜第８頁左上段、図７）
【０００９】
【特許文献４】
特開２００１‐３２８３１７号公報（第３頁左下段〜第４頁左下段、図２）
【００１０】
【発明が解決しようとする課題】
しかし、特許文献１のような従来の画像形成装置では、この画像形成装置が起動された状態で非接触型ＩＣカードを検知し、この非接触型ＩＣカードに記録された情報に応じて画像形成装置の操作状態を設定しているが、前記情報により画像形成装置に対する電力供給を制限する点については記載がなく、何らの示唆もなされていない。
【００１１】
また、特許文献２のような従来の画像形成装置では、送受信に関するデータをＰＣカード型メモリに一旦記憶しているが、このＰＣカード型メモリに記憶されたデータにより使用者又はＰＣカードの正当性を判断する点については記載がなく、何らの示唆もなされていない。
【００１２】
また、特許文献３のような従来の画像形成装置では、この画像形成装置が起動された状態で、使用者が行った認証の方法に応じ、指示可能な動作モードを制限しているが、この動作モード又は前記認証の方法により、画像形成装置に対する電力供給を制限する点については記載がなく、何らの示唆もなされていない。
【００１３】
さらに、特許文献４のような従来の画像形成装置では、ＩＣカードに記録したプリント制限枚数、現在プリント枚数により使用者ごとの枚数制限を行っているが、ＩＣカードに記録した情報により、画像形成装置に対する電力供給を制限する点については記載がなく、何らの示唆もなされていない。
【００１４】
本発明は、このような問題を解決するためになされたもので、装着された記録媒体の記録情報により、供給電力を段階的に制御することが可能な画像形成装置を提供するものである。
【００１５】
【課題を解決するための手段】
請求項１に係る本発明の画像形成装置は、画像を形成する画像形成手段と、ネットワークに接続して通信する通信手段と、所定の記録媒体を検知する記録媒体検知手段と、前記記録媒体に記録された第１の情報と予め保持された第２の情報とにより、前記画像形成手段及び前記通信手段に対する給電を許可するか否かを判断する判断手段と、前記判断手段に対する給電を制御する第１の給電制御手段と、前記画像形成手段、前記通信手段に対する給電を制御する第２の給電制御手段と、を備え、前記記録媒体検知手段が前記記録媒体を検知したときに、第１の給電制御手段が前記判断手段に給電するように制御し、次いで、前記判断手段が、前記画像形成手段及び前記通信手段に対する給電を許可すると判断したときに、第２の給電制御手段が、前記画像形成手段及び前記通信手段に給電するように制御する構成を有している。
【００１６】
請求項２に係る本発明の画像形成装置は、請求項１において、前記第１の情報及び前記第２の情報に、前記記録媒体を識別するための記録媒体識別情報と、前記画像形成装置の種類を示す機種情報と、前記画像形成装置で使用可能なプログラムを管理するための管理情報と、が含まれるようにした構成を有している。
【００１７】
請求項３に係る本発明の画像形成装置は、請求項１又は２において、前記判断手段に給電するための第１のスイッチと、前記画像形成手段及び前記通信手段に給電するための第２のスイッチとを備え、前記記録媒体検知手段が前記記録媒体を検知したとき、前記第１の制御手段が、第１のスイッチによって前記判断手段に給電し、次いで、前記判断手段が前記画像形成手段及び前記通信手段に対する給電を許可すると判断したときに、第２の制御手段が、第２のスイッチによって前記画像形成手段及び前記通信手段に給電するように制御する構成を有している。
【００１８】
【発明の実施の形態】
以下、本発明の実施の一形態を図面を用いて説明するが、本発明はこれに限定されるものではなく、スキャナなどの画像読取装置、複写機、プリンタ、ファクシミリ装置などの画像形成装置の広範囲な応用を含むものである。
【００１９】
図１は、本発明の実施の一形態に係る複合機の構成を示す。
複合機８０には、システムバス８０９を介して接続された、マイクロプロセッサユニットなどの処理部（以下「ＭＰＵ」という）８０１と、ＭＰＵ８０１によって実行されるプログラム（本実施形態の「給電制御機能」を実現するためのプログラムを含む）等をリード・オンリー・メモリ（以下、「ＲＯＭ」という）に格納し、このＲＯＭに記憶されたプログラムをランダム・アクセス・メモリ（以下「ＲＡＭ」という）に一時的に格納すると共にプログラムが使用するデータをＲＡＭに一時的に記憶するようにした主記憶部８０２と、原稿から画像を読み込むスキャナなどの読取部８０４と、読取部８０４によって読み込まれた画像データをハードディスクなどに保存する記憶部８０５と、読取部８０４によって読み込まれた画像データ、あるいは通信部８０８を介して取得された画像データに基づいて画像を転写紙に転写するプロッタなどの出力部８１０と、複合機８０の駆動条件、装置状態、及び入力条件などの各種情報を表示すると共に使用者による機能選択などの選択入力や設定入力等の入力操作と行うためのタッチパネル付きディスプレイ機器（ＬＣＤ）よりなる操作表示部８０６と、複数種類のモデムを有し、ネットワーク上のファクシミリ装置などの通信装置（図示せず）との間で信号や情報を授受するための通信部８０８と、メモリカードなどの記録媒体（以下「メモリカード」という）９０が装着されたことを検出して記録内容を読み取るための媒体インタフェース部８０７と、ＣＤ‐ＲＯＭ８８などの記録媒体を装着して駆動し、この記録媒体に記録されたプログラムやデータを読み取るための媒体駆動部８０３と、ＭＰＵ８０１及び主記憶部８０２を含む制御基板（図２の「制御ＩＣ１０」に相当する）、媒体インタフェース部８０７、前記制御基板及び媒体インタフェース部８０７を除く全体回路２０（図２に示す）のそれぞれに電力を供給するための給電部８１１と、を備える。
【００２０】
なお、複合機８０は、主記憶部８０２のＲＯＭに記憶されたプログラムをＭＰＵ８０１が実行することにより、ネットワーク上のコンピュータ装置から通信部８０８を介して画像データを受け取り、出力部８１０によって画像を転写紙に転写する印刷機能と、読取部８０４によって読み込まれた画像データを出力部８１０によって画像を転写紙に転写する複写機能と、読取部８０４によって読み込まれた画像データを前記コンピュータ装置に通信部８０８を介して送信し、また通信部８０８を介して画像データを受信して出力するファクシミリ機能と、を実現するようにしている。
【００２１】
図２は、本実施形態に係る複合機８０の給電制御部を示す。
図２において、給電部（ＰＳＵ：  Ｐｏｗｅｒ  Ｓｕｐｐｌｙ  Ｕｎｉｔ）８１１は、メモリカード・インタフェース（図１の「媒体インタフェース部」に相当する）８０７に電源スイッチ（図示せず）を介して直接、配線され、前記電源スイッチのオン時（起動時）にはメモリカード・インタフェース８０７に対してのみ、電力（「Ｖｃｃ‐０」に相当する）を供給するようにしている。また、給電部８１１は、第１のスイッチ（以下「ＳＷ１」ともいう）を介して制御ＩＣ１０に直接、配線され、メモリカード・インタフェース８０７により、ＳＷ１がオンされたとき、制御ＩＣ１０に対して電力（「Ｖｃｃ‐１」に相当する）を供給するようにしている。さらに、給電部８１１は、制御ＩＣ１０により、第２のスイッチ（以下「ＳＷ２」ともいう）がオンされると、読取部８０４、通信部８０８、出力部８１０を含む全部が動作可能となるよう、複合機８０の全体回路２０に対して電力（「Ｖｃｃ‐２」に相当する）を供給するようにしている。ここでは、「Ｖｃｃ‐０」＜「Ｖｃｃ‐１」＜「Ｖｃｃ‐２」となるように設定している。
【００２２】
また、メモリカード・インタフェース８０７は、エイシック（ＡＳＩＣ：Ａｐｐｌｉｃａｔｉｏｎ    Ｓｐｅｃｉｆｉｅｄ  ＩＣ）を有するカードインタフェースであって、少なくとも、メモリカード・インタフェース８０７及び制御ＩＣ１０に給電され、メモリカード９０の処理部（図４の「制御回路９０１」に相当する）とコネクタで接続された状態で、メモリカード９０に対してコマンドを生成して送出し、メモリカード９０からの応答をＭＰＵ８０１に送出するものである。また、メモリカード・インタフェース８０７は、メモリカード９０が装着及び接続されたことを検出すると共に、カード検出信号を給電部８１１に送出するように構成されている。なお、メモリカード・インタフェース８０７には、メモリカード９０を装着及び接続するための装着部（前記コネクタに相当する）と、メモリカード９０との間で信号を送受及び処理する処理部（「カード検出部８０７１」を含む）と、信号等の処理に必要な情報を記憶する記憶部（「データ部８０７２」に相当する）と、を備える。
【００２３】
また、主記憶部８０２のＲＡＭにおける記録媒体識別情報領域８０２ａ（図３に示す）には、複合機８０での使用が許可された複数のメモリカードのカードＩＤ（「記録媒体識別情報＃１、＃２、・・・」に相当する）が記憶されている。また、主記憶部８０２のＲＡＭにおける機種情報領域８０２ｂ（図３に示す）には、前記カードＩＤに対応付けて複合機８０の型番や製造番号などの機種情報が記憶されている。さらに、主記憶部８０２のＲＡＭにおける管理情報領域８０２ｃ（図３に示す）には、メモリカード９０を装着することにより複合機８０で使用可能となるシステムプログラム、アプリケーションプログラム、ファームウェアを構成するプログラムのバージョン番号、及びこれらプログラムが参照するデータが、前記機種情報に対応付けて記憶されている。前述した記録媒体識別情報、機種情報、管理情報は、ＭＰＵ８０１により更新可能であって更新された情報もＲＡＭの所定領域に記憶されている。
【００２４】
図４は、本実施形態に係るメモリカードの構成を示す。
メモリカード９０は、制御回路９０１と、ＲＯＭ９０２と、フラッシュメモリ９０３とを備えている。フラッシュメモリ９０３には、システムプログラム、アプリケーションプログラム、ファームウェアを構成するプログラムやデータ等を表す記録情報が記録されている。ＲＯＭ９０２には、メモリカード９０を識別するための記録媒体識別情報と、メモリカード９０の製造日時等のメモリカード９０に関する情報と、メモリカード９０の使用が可能な複合機８０の型番や製造番号などの機種情報と、当該機種で使用可能なプログラムのバージョン番号と、が記憶されている。前記記録媒体識別情報は、例えば、メモリカード９０固有のカードＩＤであり、ＲＯＭ９０２の記録媒体識別情報領域９０２ａ（図５に示す）に記憶されている。また、前記機種情報は、ＲＯＭ９０２の機種情報領域９０２ｂ（図５に示す）に記憶されている。また、前記管理情報は、ＲＯＭ９０２の管理情報領域９０２ｃ（図５に示す）に記憶されている。さらに、制御回路９０１は、ＲＯＭ９０２およびフラッシュメモリ９０３に記憶された情報の送受信やアクセス制御を行うように構成されている。
【００２５】
なお、メモリカード９０は、例えば、メモリカード９０に対する書込ツール（記録媒体書込手段）を具備したパーソナルコンピュータ（以下「パソコン」という）を用いて作成する。このパソコンでは、前述した記録情報を書き込み、複合機８０で使用可能にする。また、前記パソコンの通信部からネットワークを介して複合機８０に対し、前述した記録情報を含む「登録情報」を送信して登録させるようにする。
【００２６】
図６は、本実施形態に係る複合機８０の給電制御動作を示す。
まず、複合機８０の電源オンとなったとき（起動時）、給電部８１１からメモリカード・インタフェース８０７に対して給電される。ここで、ＭＰＵ８０１、主制御部８０２を含む制御ＩＣ１０と、通信部８０８、読取部８０４、出力部８１０などを動作可能とする全体回路２０と、に対しては給電されない。すなわち、ＳＷ１、ＳＷ２がオフされて非通電状態にある。この状態で、メモリカード・インタフェース８０７は、カード検出部８０７１の検出情報により、メモリカード８０が装着されたか否かを判断する（Ｓ１０１）。この判断が「ＹＥＳ」の場合はＳ１０２に移り、「ＮＯ」の場合には何らの処理も行わず、「カード挿入待ち状態」となる。
【００２７】
Ｓ１０２では、メモリカード・インタフェース８０７の処理部がＳＷ１に対して信号を送出し、ＳＷ１をオンにする。ＳＷ１がオンとなることにより、給電部８１１から制御ＩＣ１０に対して給電を開始する。制御ＩＣ１０に対する給電により、オペレーティングシステム（ＯＳ）が起動して動作可能状態となる。
【００２８】
この動作可能状態で、ＭＰＵ８０１は、メモリカード・インタフェース８０７との間で信号を授受することにより、メモリカード９０が装着されていると判断する。また、ＭＰＵ８０１は、メモリカード・インタフェース８０７に対してメモリカード９０の記録情報を読み取るように指示し、メモリカード・インタフェース８０７の処理部は、メモリカード９０の制御回路９０１を介して記録情報を取得してＭＰＵ８０１に送る。この記録情報には、前述した「記録媒体識別情報」、「機種情報」、「管理情報」が含まれる。さらに、ＭＰＵ８０１は、主記憶部８０２のＲＡＭに記憶されている「記録媒体識別情報＃１、＃２、・・・」と、前述のようにメモリカード９０から取得された「記録媒体識別情報」と、を比較し、一致するものがある場合には、これに対応する「機種情報＃１ａ、＃２ａ、・・・」と、前述のようにメモリカード９０から取得された「機種情報」と、を比較し、一致するものがある場合には、これに対応する「管理情報＃１ｂ、＃２ｂ、・・・」と、前述のようにメモリカード９０から取得された「管理情報」と、を比較し（Ｓ１０３）、全て一致するか否かを判断する（Ｓ１０４）。この判断が「ＹＥＳ」の場合はＳ１０５に移り、「ＮＯ」の場合にはＳ１０６に移る。
【００２９】
Ｓ１０５では、ＭＰＵ８０１がＳＷ２をオンにし、給電部８１１から全体回路２０に対して給電させる。全体回路２０に給電することにより、読取部８０４、通信部８０８、出力部８１０を含む複合機８０の全体が動作可能となる。したがって、メモリカード９０を複合機８０に装着した使用者は、前述した「管理情報」で許可されたプログラムにより、複写機能、印刷機能、ファクシミリ機能の全てを利用できることとなる。
【００３０】
Ｓ１０６では、ＭＰＵ８０１が、メモリカード・インタフェース８０７に対してＳＷ１をオフするように指示し、メモリカード・インタフェース８０の処理部がＳＷ１をオフする。ＳＷ１のオフにより、給電部８１１から制御ＩＣ１０に対する給電は停止されるので、メモリカード・インタフェース８０７のみに給電された状態になる。
【００３１】
以上のように、本発明の一実施形態に係る「画像形成装置」としての複合機８０は、画像を形成する「画像形成手段」としての読取部８０４及び出力部８１０と、ネットワークに接続してファクシミリ通信する「通信手段」としての通信部８１０と、メモリカード９０（「所定の記録媒体」に相当する）を検知する「記録媒体検知手段」としての媒体インタフェース部８０７と、メモリカード９０に記録された記録媒体識別情報、機種情報及び管理情報（「第１の情報」に相当する）と予め主記憶部８０２に保持された記録媒体識別情報、機種情報及び管理情報（「第２の情報」に相当する）とにより、読取部８０４及び出力部８１０に対する給電を許可するか否かを判断する「判断手段」としてのＭＰＵ８０１及び主記憶部８０２と、ＭＰＵ８０１及び主記憶部８０２に対する給電を制御する「第１の給電制御手段」としての媒体インタフェース部８０７と、読取部８０４及び出力部８１０、通信部８１０に対する給電を制御する「第２の給電制御手段」としてのＭＰＵ８０１と、を備え、媒体インタフェース部８０７がメモリカード９０を検知したときに、第１の給電制御手段がＭＰＵ８０１及び主記憶部８０２に給電するように制御し、次いで、ＭＰＵ８０１が、読取部８０４及び出力部８１０、通信部８１０に対する給電を許可すると判断したときに、ＭＰＵ８０１が、読取部８０４及び出力部８１０、通信部８１０に給電するように制御しているので、メモリカード９０を使用可能な複合機８０を限定して各種機器を管理し、複合機８０における画像形成機能（印刷機能、複写機能、ファクシミリ機能を含む）の不正利用を防止することができる。また、複合機８０においてメモリカード使用が許可されるまで、電力の供給を機器の一部に制限するようにしているので、無駄な給電を行わず、省エネルギー効果を促進させる。
【００３２】
また、上述した実施形態によれば、ＭＰＵ８０１及び主記憶部８０２に給電するための第１のスイッチと、読取部８０４及び出力部８１０、通信部８１０に給電するための第２のスイッチとを備え、媒体インタフェース部８０７がメモリカード９０を検知したとき、媒体インタフェース部８０７が、第１のスイッチによってＭＰＵ８０１及び主記憶部８０２に給電し、次いで、ＭＰＵ８０１が読取部８０４及び出力部８１０、通信部８１０に対する給電を許可すると判断したときに、ＭＰＵ８０１が、第２のスイッチによって読取部８０４及び出力部８１０、通信部８１０に給電するように制御しているので、複合機８０の起動時から制御ＩＣ１０に対して給電する必要がなく、媒体インタフェース部８０７に給電するだけで済み、供給電力を抑制することができる。
【００３３】
なお、上述した実施形態ではメモリカード９０の記録情報により、給電制御を実行するようにした場合について説明したが、本発明はこのほかに、少なくとも制御ＩＣ１０に給電した後、メモリカード９０の記録情報をアップデートするようにしても同様の効果が得られるものである。例えば、メモリカード９０に、複合機８０で使用可能なアプリケーションプログラムが記録され、このアプリケーションプログラムが、主記憶部８０２に記憶されたものよりもバージョンアップされているとき、メモリカード９０から複合機８０へ、バージョンアップされたアプリケーションプログラムを移動し、主記憶部８０２のアプリケーションプログラムを更新するようにしてもよい。この更新により、複合機８０は最新のアプリケーションプログラムを取得できることとなる。
【００３４】
また、上述した実施形態ではメモリカード９０に、使用可能な一種類の複合機８０の「機種情報」を記録した場合について説明したが、本発明はこのほかに、複数種類の「機種情報」を記録しても同様の効果が得られるものである。
【００３５】
また、上述した実施形態ではメモリカード９０が正当であると判断しとき、複数種類の画像形成機能（印刷機能、複写機能、ファクシミリ機能を含む）の全てを実現可能とした場合について説明したが、本発明はこのほかに、メモリカード９０の記録情報（「管理情報」に相当する）により、画像形成機能のいずれかを実現可能とするようにしても同様の効果が得られるものである。この場合は、前記管理情報に、使用可能な機能を限定するための「限定情報」を含み、制御ＩＣ１０への給電によって、ＭＰＵ８０１が、複合機側とメモリカード側の前記管理情報により、複写機能、印刷機能、ファクシミリ機能のいずれか又は全てを実現することを許可するか否かを判断し、ここで許可された機能を実現するのに必要な部位に対して、選択的に給電制御するように構成する。なお、複合機８０に、メモリカード９０への書き込み機能を持たせ、前記限定情報を複合機側で更新するようにしてもよい。
【００３６】
また、上述した実施形態ではＳ１０４で、主記憶部８０２に記憶された情報とメモリカード９０に記録された情報とが不一致のとき、Ｓ１０６でＳＷ１をオフするようにした場合について説明したが、本発明はこのほかに、操作表示部８０６に「メモリカード９０の使用が許可されない旨のエラーメッセージ」を表示するようにしても同様の効果が得られるものである。例えば、制御ＩＣ１０に操作表示部８０６のディスプレイ機器の表示制御機能を含むように構成し、Ｓ１０４の判断が「ＮＯ」の場合は、Ｓ１０６で給電状態にある操作表示部８０６に前記エラーメッセージを表示し、さらに所定時間が経過してからＳＷ１をオフするように制御してもよい。
【００３７】
【発明の効果】
以上説明したように、本発明は記録媒体検知手段（「媒体インタフェース部」に相当する）が記録媒体を検知したときに、第１の給電制御手段（「媒体インタフェース部」に相当する）が判断手段（「ＭＰＵ」に相当する）に給電するように制御し、次いで、前記判断手段が、画像形成手段（「読取部」、「出力部」に相当する）及び通信手段（「通信部」に相当する）に対する給電を許可すると判断したときに、第２の給電制御手段（「ＭＰＵ」に相当する）が、前記画像形成手段及び前記通信手段に給電するように制御することにより、装着された記録媒体の記録情報によって供給電力を段階的に制御可能であるという優れた効果を有する画像形成装置を提供することができるものである。
【図面の簡単な説明】
【図１】本発明の実施の一形態に係る複合機のブロック図である。
【図２】本発明の実施の一形態に係る給電制御部のブロック図である。
【図３】本発明の実施の一形態に係る主制御部の記憶情報の一部を示す図である。
【図４】本発明の実施の一形態に係るメモリカードのブロック図である。
【図５】本発明の実施の一形態に係るメモリカードの記録情報の一部を示す図である。
【図６】本発明の実施の一形態に係る複合機の給電制御動作を示すフローチャートである。
【符号の説明】
８０  複合機
８８  ＣＤ‐ＲＯＭ
９０  メモリカード（記録媒体）
８０１  処理部（ＭＰＵ）
８０２  主記憶部
８０３  媒体駆動部
８０４  読取部
８０５  記憶部
８０６  操作表示部
８０７  媒体インタフェース部（メモリカードＩ／Ｆ）
８０８  通信部
８０９  システムバス
８１０  出力部
８１１  給電部
【図１】
2004351647.tif 000003
【図２】
2004351647.tif 000004
【図３】
2004351647.tif 000005
【図４】
2004351647.tif 000006
【図５】
2004351647.tif 000007
【図６】
2004351647.tif 000008